(57)【要約】  無線ＩＣタグ付き容器は、容器本体（３０）、および、容器本体（３０）の開封部を封止する封止部（３２）を有する容器と、容器に取り付けられた無線ＩＣタグ（１０）およびキャップシール（２０）とを備える。容器本体（３０）は、開封部から延びる首部（３１）を備える。無線ＩＣタグ（１０）は、非接触通信のためのアンテナ（１２）と、断線検知のための配線（１６）と、アンテナ（１２）および配線（１６）に接続されたＩＣチップ（１３）とを備える。キャップシール（２０）は、首部（３１）を囲む筒部（２１）であって、首部（３１）の側面に沿って配置された金属部（２１ａ）を有する筒部（２１）を備える。無線ＩＣタグ（１０）は、封止部（３２）上を跨いで首部（３１）を挟むように配置され、首部（３１）と筒部（２１）との間に無線ＩＣタグ（１０）の一部が挟まれ、ＩＣチップ（１３）は、キャップシール（２０）から露出されている。
2019088076.tif 000002
【特許請求の範囲】
【請求項１】
容器本体、および、前記容器本体の開封部を封止する封止部を有する容器と、  前記容器に取り付けられた無線ＩＣタグおよびキャップシールと、を備え、  前記容器本体は、前記開封部から延びる首部を備え、  前記無線ＩＣタグは、非接触通信のためのアンテナと、断線検知のための配線と、前記アンテナおよび前記配線に接続されたＩＣチップと、を備え、  前記キャップシールは、前記首部を囲む筒部であって、前記首部の側面に沿って配置された金属部を有する前記筒部を備え、  前記無線ＩＣタグは、前記封止部上を跨いで前記首部を挟むように配置され、前記首部と前記筒部との間に前記無線ＩＣタグの一部が挟まれ、前記ＩＣチップは、前記キャップシールから露出されている  無線ＩＣタグ付き容器。
【請求項２】
前記無線ＩＣタグは、  第１面と、前記第１面とは反対側の面である第２面とを有する基材を備え、  前記アンテナは、  前記第１面に位置するコイル部であって、前記第１面内にて途切れた部分を有する前記コイル部と、  前記第２面に位置し、前記コイル部の前記途切れた部分を繋ぐように前記基材を挟んで前記コイル部と重なるジャンパー線と、  前記基材を貫通して前記ジャンパー線の端部を前記コイル部に電気的に接続する接続導体と、を備え、  前記ジャンパー線は、前記キャップシールから露出されている  請求項１に記載の無線ＩＣタグ付き容器。
【請求項３】
前記アンテナの一部は、前記キャップシールに覆われている  請求項１または２に記載の無線ＩＣタグ付き容器。
【請求項４】
前記キャップシールは、前記筒部が有する２つの筒端の一方である第１端に接続されて当該第１端で前記筒部を塞ぐ頂面部を備え、  前記ＩＣチップは、前記２つの筒端の他方である第２端から露出されている  請求項１〜３のいずれか一項に記載の無線ＩＣタグ付き容器。
【請求項５】
前記キャップシールは、前記筒部が有する２つの筒端の一方である第１端に接続されて当該第１端で前記筒部を塞ぐ頂面部を備え、  前記無線ＩＣタグは、前記断線検知のための配線が密集している配線密集部分を有し、当該配線密集部分は、前記頂面部と前記封止部との間に挟まれている  請求項１〜４のいずれか一項に記載の無線ＩＣタグ付き容器。
【請求項６】
前記無線ＩＣタグは、第１面と、前記第１面とは反対側の面である第２面とを有する基材を備え、  前記アンテナと、前記断線検知のための配線が密集している部分とが、前記基材を介して互いに重なっている  請求項１〜３のいずれか一項に記載の無線ＩＣタグ付き容器。
【請求項７】
前記無線ＩＣタグは、第１面と、前記第１面とは反対側の面である第２面とを有する基材を備え、  前記アンテナと、前記断線検知のための配線が密集している部分とが、前記基材を介して互いに重ならない位置に配置されている  請求項１〜５のいずれか一項に記載の無線ＩＣタグ付き容器。
【請求項８】
前記キャップシールは、前記筒部が有する２つの筒端の一方である第１端に接続されて当該第１端で前記筒部を塞ぐ頂面部を備え、  前記筒部は、前記第１端から延びる１以上の絶縁部を有し、前記金属部と前記絶縁部との接続によって当該筒部の周方向に沿った閉環を構成している  請求項１〜７のいずれか一項に記載の無線ＩＣタグ付き容器。
【請求項９】
開封部および前記開封部から延びる首部を有する容器本体と、前記開封部を封止する封止部とを備える容器に、前記首部を覆うキャップシールと共に取り付けられる無線ＩＣタグであって、  非接触通信のためのアンテナと、  断線検知のための配線と、  前記アンテナおよび前記配線に接続されたＩＣチップと、を備え、  前記無線ＩＣタグは、前記キャップシールと前記容器との間に挟まれるように前記無線ＩＣタグが前記容器に取り付けられたときに、前記無線ＩＣタグが前記封止部上を跨いで前記首部を挟むとともに、前記ＩＣチップが前記キャップシールから露出されるように、構成されている  無線ＩＣタグ。
【請求項１０】
開封部および前記開封部から延びる首部を有する容器本体と、前記開封部を封止する封止部とを備える容器に、前記首部を覆うキャップシールと共に取り付けられる無線ＩＣタグであって、  非接触通信のためのアンテナと、  断線検知のための配線と、  前記アンテナおよび前記配線に接続されたＩＣチップと、を備え、  前記無線ＩＣタグは、前記封止部上に配置されるように構成された部分と、当該部分から互いに反対方向へ延びる２つの延出部とを有し、一方の前記延出部は、前記キャップシールよりも長く構成され、前記ＩＣチップが前記一方の延出部の先端領域に配置される  無線ＩＣタグ。
【発明の詳細な説明】
【技術分野】
【０００１】  本発明は、キャップシールと無線ＩＣタグとを備える無線ＩＣタグ付き容器、および、当該容器に用いる無線ＩＣタグに関する。
【背景技術】
【０００２】  従来から、商品は、例えば、工場において生産され、販売店において消費者に販売されている。販売店における販売業者は、消費者に対して、正規の工場で生産され、正規の流通ルートを経て販売された商品に関して、商品の品質を保証している。すなわち、正規に販売された商品を偽造された商品と区別して、商品の品質を一定以上に保つことにより、消費者に対して商品の信頼性を向上している。【０００３】  特に、商品が、著名なブランド品のように、偽造防止のための対策を強く要する物品である場合、例えば、高級酒などの高価な商品である場合、以下の対策が実施されている。すなわち、瓶等の容器の開封部の周囲をキャップシールで被覆することによって、容器内への外気の侵入を抑えるとともに、容器が未開封であることを示している。更に、高いセキュリティ機能を有し固有のタグＩＤ番号が記憶された無線ＩＣタグをキャップシールに備えることで、商品の偽造を防止している。【０００４】  特許文献１の無線ＩＣタグ付きキャップにおいては、瓶のキャップの開封時に、キャップに備えられた無線ＩＣタグのアンテナが破断されないため、キャップの開封後にも無線ＩＣタグと外部装置との通信が可能である。これにより、キャップが開封された後にも、外部装置は、無線ＩＣタグから、キャップの開封済みフラグや商品の情報を読み出すことができる。
【先行技術文献】
【特許文献】
【０００５】
【特許文献１】特開２０１４−１１４０６６号公報
【発明の概要】
【発明が解決しようとする課題】
【０００６】  無線ＩＣタグを備えるキャップシールは、例えば、開封部付近の容器側面を覆う筒部と、筒部の一端に接続されて開封部付近の容器頂部を覆う頂面部とを有し、無線ＩＣタグは頂面部に備えられている。筒部がシュリンクフィルムから構成されている場合、容器へのキャップシールの取り付けの際には、容器の外径よりも大きい内径を有する筒状に形成された筒部に容器の開封部付近が挿入された後、筒部が加熱されることによって収縮し、これによってキャップシールが容器に密着した形状に成形される。【０００７】  ここで、加熱によりキャップシールを容器に密着させる工程においては、容器内の内容物も少なからず加熱される。そのため、内容物が、ワイン等のように、熱によって品質の変化しやすい性質を有する場合には、金属製の筒部および頂面部を用い、加圧によってキャップシールを容器に密着させることが好ましい。【０００８】  筒部が金属製である場合、筒部に閉環状の導電路が形成されて筒部が１巻のコイルを構成しているように見做せる。そのため、頂面部に無線ＩＣタグを配置すると、金属製の頂面部と無線ＩＣタグとが重なり、さらに、上記コイルの中心軸上に無線ＩＣタグが位置する構成となる。その結果、上記コイルに流れる誘導電流に起因した電磁界の変化が、無線ＩＣタグの通信特性を低下させる要因となる。【０００９】  本発明は、金属製のキャップシールによる無線ＩＣタグの通信特性の低下を抑えることのできる無線ＩＣタグ付き容器、および、無線ＩＣタグを提供することを目的とする。
【課題を解決するための手段】
【００１０】  上記課題を解決する無線ＩＣタグ付き容器は、容器本体、および、前記容器本体の開封部を封止する封止部を有する容器と、前記容器に取り付けられた無線ＩＣタグおよびキャップシールと、を備え、前記容器本体は、前記開封部から延びる首部を備え、前記無線ＩＣタグは、非接触通信のためのアンテナと、断線検知のための配線と、前記アンテナおよび前記配線に接続されたＩＣチップと、を備え、前記キャップシールは、前記首部を囲む筒部であって、前記首部の側面に沿って配置された金属部を有する前記筒部を備え、前記無線ＩＣタグは、前記封止部上を跨いで前記首部を挟むように配置され、前記首部と前記筒部との間に前記無線ＩＣタグの一部が挟まれ、前記ＩＣチップは、前記キャップシールから露出されている。【００１１】  上記課題を解決する無線ＩＣタグは、開封部および前記開封部から延びる首部を有する容器本体と、前記開封部を封止する封止部とを備える容器に、前記首部を覆うキャップシールと共に取り付けられる無線ＩＣタグであって、非接触通信のためのアンテナと、断線検知のための配線と、前記アンテナおよび前記配線に接続されたＩＣチップと、を備え、前記無線ＩＣタグは、前記キャップシールと前記容器との間に挟まれるように前記無線ＩＣタグが前記容器に取り付けられたときに、前記無線ＩＣタグが前記封止部上を跨いで前記首部を挟むとともに、前記ＩＣチップが前記キャップシールから露出されるように、構成されている。【００１２】  上記課題を解決する無線ＩＣタグは、開封部および前記開封部から延びる首部を有する容器本体と、前記開封部を封止する封止部とを備える容器に、前記首部を覆うキャップシールと共に取り付けられる無線ＩＣタグであって、非接触通信のためのアンテナと、断線検知のための配線と、前記アンテナおよび前記配線に接続されたＩＣチップと、を備え、前記無線ＩＣタグは、前記封止部上に配置されるように構成された部分と、当該部分から互いに反対方向へ延びる２つの延出部とを有し、一方の前記延出部は、前記キャップシールよりも長く構成され、前記ＩＣチップが前記一方の延出部の先端領域に配置される。【００１３】  上記各構成によれば、無線ＩＣタグのＩＣチップがキャップシールから露出されるため、キャップシールに起因した電磁界への影響を無線ＩＣタグに対して低減できる。その結果、無線ＩＣタグの通信特性の低下を抑えることができる。また、ＩＣチップがキャップシールから露出しているため、容器に対するキャップシールの取り付けの際の圧力がＩＣチップにかかることが抑えられる。それゆえ、ＩＣチップの機能の低下が抑えられる。【００１４】  上記無線ＩＣタグ付き容器において、前記無線ＩＣタグは、第１面と、前記第１面とは反対側の面である第２面とを有する基材を備え、前記アンテナは、前記第１面に位置するコイル部であって、前記第１面内にて途切れた部分を有する前記コイル部と、前記第２面に位置し、前記コイル部の前記途切れた部分を繋ぐように前記基材を挟んで前記コイル部と重なるジャンパー線と、前記基材を貫通して前記ジャンパー線の端部を前記コイル部に電気的に接続する接続導体と、を備え、前記ジャンパー線は、前記キャップシールから露出��れていてもよい。【００１５】  上記構成によれば、ジャンパー線がキャップシールから露出しているため、容器に対するキャップシールの取り付けの際の加圧によってジャンパー線に変形が生じることが抑えられる。それゆえ、通信用アンテナの導通が阻害されることが抑えられる。【００１６】  上記無線ＩＣタグ付き容器において、前記アンテナの一部は、前記キャップシールに覆われていてもよい。  上記構成によれば、無線ＩＣタグのなかでキャップシールから露出される領域が大きくなりすぎることを抑えられる。したがって、キャップシールによって保護される領域を広く確保できる。また、キャップシールと無線ＩＣタグとの配置に要する領域が大きくなることを抑えられる。【００１７】  上記無線ＩＣタグ付き容器において、前記キャップシールは、前記筒部が有する２つの筒端の一方である第１端に接続されて当該第１端で前記筒部を塞ぐ頂面部を備え、前記ＩＣチップは、前記２つの筒端の他方である第２端から露出されていてもよい。【００１８】  上記構成によれば、キャップシールが構成するコイルの中心軸上に無線ＩＣタグが位置しないため、無線ＩＣタグの通信特性の低下を抑えることができる。また、キャップシールに開口部を形成せずとも、キャップシールからＩＣチップを露出させることが可能であるため、キャップシールの形成や、キャップシールとＩＣチップとの位置合わせが容易である。【００１９】  上記無線ＩＣタグ付き容器において、前記キャップシールは、前記筒部が有する２つの筒端の一方である第１端に接続されて当該第１端で前記筒部を塞ぐ頂面部を備え、前記無線ＩＣタグは、前記断線検知のための配線が密集している配線密集部分を有し、当該配線密集部分は、前記頂面部と前記封止部との間に挟まれていてもよい。【００２０】  上記構成によれば、頂面部と封止部とを貫通して容器の内容物を入れ替えようとした際に、断線検知のための配線が断線される。したがって、上記断線の検知によって、内容物のすり替えを検出することができる。【００２１】  上記無線ＩＣタグ付き容器において、前記無線ＩＣタグは、第１面と、前記第１面とは反対側の面である第２面とを有する基材を備え、前記アンテナと、前記断線検知のための配線が密集している部分とが、前記基材を介して互いに重なっていてもよい。【００２２】  上記構成によれば、無線ＩＣタグの小型化が可能である。  上記無線ＩＣタグ付き容器において、前記無線ＩＣタグは、第１面と、前記第１面とは反対側の面である第２面とを有する基材を備え、前記アンテナと、前記断線検知のための配線が密集している部分とが、前記基材を介して互いに重ならない位置に配置されていてもよい。【００２３】  上記構成によれば、アンテナの配置位置の自由度が高くなり、ひいては、ＩＣチップの配置位置の自由度が高くなる。  上記無線ＩＣタグ付き容器において、前記キャップシールは、前記筒部が有する２つの筒端の一方である第１端に接続されて当該第１端で前記筒部を塞ぐ頂面部を備え、前記筒部は、前記第１端から延びる１以上の絶縁部を有し、前記金属部と前記絶縁部との接続によって当該筒部の周方向に沿った閉環を構成していてもよい。【００２４】  上記構成によれば、筒部に閉環状の導電路が形成されている形態と比較して、筒部のインダクタンスを減少させることができる。そのため、無線ＩＣタグの通信特性の低下を抑えることができる。
【発明の効果】
【００２５】  本発明によれば、金属製のキャップシールによる無線ＩＣタグの通信特性の低下を抑えることができる。
【図面の簡単な説明】
【００２６】
【図１】第１の実施形態の無線ＩＣタグ付き容器の構造を示す斜視図。
【図２】第１の実施形態の容器に無線ＩＣタグを設置した構造を示す斜視図。
【図３】第１の実施形態の無線ＩＣタグの断面構造を概略的に示す断面図。
【図４】第１の実施形態の無線ＩＣタグにおける表面の配線パターンを示す平面図。
【図５】第１の実施形態の無線ＩＣタグにおける裏面の配線パターンを示す平面図。
【図６】第１の実施形態の無線ＩＣタグにおける裏面の他の配線パターンを示す平面図。
【図７】第１の実施形態の無線ＩＣタグにおける裏面の他の配線パターンを示す平面図。
【図８】第１の実施形態の無線ＩＣタグにおける断線検知部の密集配線の一部を拡大して示す平面図。
【図９】第１の実施形態のキャップシールにおける絶縁部の付近の断面構造を示す図。
【図１０】第１の実施形態の変形例のキャップシールにおける絶縁部の付近の断面構造を示す図。
【図１１】第２の実施形態の無線ＩＣタグ付き容器の構造を示す斜視図。
【図１２】第２の実施形態のキャップシールにおける絶縁部の付近の断面構造を示す図。
【図１３】第３の実施形態の無線ＩＣタグにおける裏面の配線パターンを示す平面図。
【図１４】第４の実施形態の無線ＩＣタグにおける表面の配線パターンを示す平面図。
【図１５】第４の実施形態の無線ＩＣタグにおける裏面の配線パターンを示す平面図。
【図１６】第４の実施形態の容器に無線ＩＣタグを設置した構造を示す図。
【図１７】第４の実施形態の無線ＩＣタグ付き容器の構造を示す斜視図。
【図１８】実施例の無線ＩＣタグの平面構造を示す図。
【図１９】実施例の無線ＩＣタグにおけるインレット部の配線パターンを拡大して示す図。
【図２０】実施例の無線ＩＣタグ付き容器の構造を示す斜視図。
【発明を実施するための形態】
【００２７】  ＜第１の実施形態＞  図１〜図１０を参照して、無線ＩＣタグ付き容器、および、無線ＩＣタグの第１の実施形態について説明する。
【００２８】  （無線ＩＣタグ付き容器）  第１の実施形態の無線ＩＣタグ付き容器は、図１が示すように、容器本体３０および封止部３２から構成される容器と、当該容器に取り付けられた無線ＩＣタグ１０およびキャップシール２０とを備える。なお、キャップシールは、カプセル（ｃａｐｓｕｌｅ）、シース（ｓｈｅａｔｈ）、あるいは、保護スリーブ（ｐｒｏｔｅｃｔｉｖｅ  ｓｌｅｅｖｅ）等とも称される。
【００２９】  容器本体３０は、酒、ワイン、ジャム、ドレッシング、たれ、スパイスなどを収容する瓶や、プラスチック製の入れ物等である。容器本体３０には、内容物を出し入れする開口が形成されている。上記開口は、蓋やコルク栓などの封止部３２によって閉塞される。容器本体３０における上記開口を有する部分が開封部であり、封止部３２は開封部を封止している。
【００３０】  容器本体３０の形状、容器本体３０の大きさ、および、容器本体３０に収容される内容物は、特に限定されない。また、封止部３２は、容器本体３０の開口を塞ぐ構造を有していれば、その形状や材質は特に限定されず、封止部３２は、開口に詰められる栓であってもよいし、開口に被せられる蓋であってもよい。
【００３１】  図２は、無線ＩＣタグ１０およびキャップシール２０のうち、無線ＩＣタグ１０のみが容器に取り付けられた状態を示す。また、図３は、無線ＩＣタグ１０におけるその延びる方向に沿った断面構造を示し、図４は、無線ＩＣタグ１０の平面構造を示す。無線ＩＣタグ１０は、インレット部Ａと断線検知部Ｂとを備える。断線検知部Ｂは、断線検知部Ｂ１と断線検知部Ｂ２と断線検知部Ｂ３とから構成される。
【００３２】  図２が示すように、容器本体３０の開封部から延びる部分である首部３１のなかの下部に、無線ＩＣタグ１０のインレット部Ａが設置される。無線ＩＣタグ１０の断線検知部Ｂは、首部３１におけるインレット部Ａが配置されている部位から、封止部３２を跨いで、首部３１における上記部位と反対側の部位まで延びている。無線ＩＣタグ１０の断線検知部Ｂ２は、封止部３２に貼り付けられる。
【００３３】  詳しくは、図４に示す断線検知部Ｂの断線検知部Ｂ２は、封止部３２上に配置され、断線検知部Ｂ１と断線検知部Ｂ３とは、首部３１の外周面に配置される。これにより、断線検知部Ｂ１が有する第１線状配線１６ａと、断線検知部Ｂ３が有する第２線状配線１６ｂとは、首部３１の外周面に沿って位置する。
【００３４】  キャップシール２０は、図１が示すように、容器本体３０の首部３１および封止部３２と、首部３１および封止部３２に取り付けられた無線ＩＣタグ１０とを包む。キャップシール２０が被せられていることにより、容器が未開封であることが示される。キャップシール２０と容器との間に無線ＩＣタグ１０の断線検知部Ｂが挟まれ、首部３１を覆うキャップシール２０の内側面に、無線ＩＣタグ１０の断線検知部Ｂ１と断線検知部Ｂ３とが貼り付けられる。
【００３５】  なお、キャップシール２０の内側面に予め無線ＩＣタグ１０の断線検知部Ｂ１と断線検知部Ｂ３とを接着させた一体物を容器に取り付け、その際に無線ＩＣタグ１０の断線検知部Ｂ２を封止部３２に貼り付けることで、容器にキャップシール２０および無線ＩＣタグ１０を取り付けてもよい。
【００３６】  キャップシール２０は、金属製であり、図１が示すように、無線ＩＣタグ１０のインレット部Ａは、キャップシール２０から露出される。あるいは、キャップシール２０は、インレット部Ａの上部のみを覆い、インレット部Ａの中央部と下部は、キャップシール２０から露出される。
【００３７】  容器を開封するときには、通常、首部３１を覆うキャップシール２０が破られた後に、封止部３２が首部３１から取り外される。そのため、容器が開封されたときには、断線検知部Ｂが有する断線検知配線１６のうち、断線検知部Ｂ１の第１線状配線１６ａおよび断線検知部Ｂ３の第２線状配線１６ｂの少なくとも一方が断線する。その断線検知配線１６の断線を無線ＩＣタグ１０のＩＣチップ１３が検出して記憶する。
【００３８】  （無線ＩＣタグ１０）  無線ＩＣタグ１０は、ＲＦＩＤシステムに利用される非接触通信部と、容器開封検知部とを備えたタグである。無線ＩＣタグ１０の構成を図３から図７に示す。図４は、無線ＩＣタグ１０の表面の配線の概要を示し、図５から図７は、無線ＩＣタグの裏面の配線の種々の形態の概要を、表面から見た透視図で示す。
【００３９】  図３が示すように、無線ＩＣタグ１０は、インレット部Ａと断線検知部Ｂとを備える。インレット部Ａおよび断線検知部Ｂの各々は、基材１１と基材１１上の配線とを含んで構成される。基材１１の表面に表面用導体配線が形成されており、裏面に裏面用導体配線が形成されている。そして、表面用導体配線と裏面用導体配線とが表裏貫通接続導体１４で接続される。基材１１の表面は第１面の一例であり、基材１１の裏面は第２面の一例である。
【００４０】  ［基材１１と導体配線］  基材１１には、例えばＰＥＴ（ｐｏｌｙｅｔｈｙｌｅｎｅ  ｔｅｒｅｐｈｔｈａｌａｔｅ）等の各種の樹脂フィルムや、紙や合成紙等が用いられる。基材１１の表面および裏面に形成される導体配線は、薄膜状の導電性材料から構成された導電パターンであることが好ましい。
【００４１】  薄膜状の導電性材料には、アルミニウム、銅、金、銀等の金属薄膜や金属箔、および、金属材料を含む塗布膜が含まれる。導体配線を形成する方法としては、エッチング、印刷法、メッキ法等が挙げられる。例えば、銀系の導電性ペーストを紙の基材１１上にスクリーン印刷することで導体配線を形成することができる。
【００４２】  上述のように、無線ＩＣタグ１０は、容器本体３０を挟むように、首部３１から封止部３２を跨いで首部３１の反対側の位置まで設置される。無線ＩＣタグ１０の断線検知部Ｂ１は首部３１の外周面に設置され、断線検知部Ｂ２は封止部３２に貼り付けられ、断線検知部Ｂ３は封止部３２を跨いだ反対側の首部３１の外周面に設置される。断線検知部Ｂ１と断線検知部Ｂ３とは、無線ＩＣタグ１０を覆うキャップシール２０に接着剤で貼り付けられる。
【００４３】  無線ＩＣタグ１０は、図４から図７が示すように、１つの方向に沿って延びる細長い形状を有する。  ［インレット部Ａ］  図４が示すように、無線ＩＣタグ１０のインレット部Ａは、基材１１の表面に位置する表面用導体配線から構成されるアンテナコイル１２と、裏面に位置するジャンパー線１５とを表裏貫通接続導体１４で接続して形成した通信用アンテナ、および、アンテナコイル１２の端部に電気接続したＩＣチップ１３を備えている。
【００４４】  ［通信用アンテナ］  図４が示すように、インレット部Ａの通信用アンテナのアンテナコイル１２は、ＩＣチップ１３の非接触通信部用電極端子に電気的に接続される。アンテナコイル１２は、基材１１の表面の、例えば、１０μｍ程度の線幅を有する表面用導体配線が、複数回引き回されたループ形状を有する。アンテナコイル１２と基材１１の裏面に位置するジャンパー線１５とが表裏貫通接続導体１４で接続されることにより、通信用アンテナが構成されている。通信用アンテナのパターン形状は、所望の周波数特性や通信距離等の特性に応じて設定される。
【００４５】  ［表裏貫通接続導体１４とジャンパー線１５］  通信用アンテナの配線を基材１１の表裏で立体的に交差させる部分は、基材１１の表面に位置するアンテナコイル１２と、表裏貫通接続導体１４と、基材１１の裏面に位置するジャンパー線１５とから構成される。すなわち、アンテナコイル１２の一方の端部を、表裏貫通接続導体１４を介して、ジャンパー線１５の一方の端部に接続し、ジャンパー線１５をアンテナコイル１２に立体的に交差させる。そして、ジャンパー線１５の他方の端部を、表裏貫通接続導体１４を介して、アンテナコイル１２の他方の端部に接続することにより、通信用アンテナの配線が完成される。
【００４６】  無線ＩＣタグ１０の断線検知部Ｂ１と断線検知部Ｂ３との長さは、キャップシール２０の長さに対応しているが、無線ＩＣタグ１０のインレット部Ａは、断線検知部Ｂ１の付近でキャップシール２０と重なる部分を有する場合がある。そのため、ＩＣチップ１３とジャンパー線１５とは、インレット部Ａの中央部に対して断線検知部Ｂ１とは反対側に配置される。
【００４７】  このように、インレット部Ａのなかで、断線検知部Ｂ１に近い側とは反対側にＩＣチップ１３とジャンパー線１５とが配置されているため、キャップシール２０がインレット部Ａに重なっても、キャップシール２０はジャンパー線１５とＩＣチップ１３との実装部分まで達しない。
【００４８】  そのため、金属製のキャップシール２０を容器に密着させるために圧延して装着する際に、無線ＩＣタグ１０のインレット部Ａにおけるジャンパー線１５とＩＣチップ１３との実装部分がその圧延のストレスを受けにくい。したがって、圧延によってジャンパー線１５やＩＣチップ１３の機能が低下することが抑えられる。また、容器の開封のためにキャップシール２０を引き剥がす際に、キャップシール２０と一緒に無線ＩＣタグ１０の断線検知部Ｂも引き裂かれ、断線検知配線１６が断線するが、その際に、ジャンパー線１５やＩＣチップ１３が破損することも抑えられる。
【００４９】  なお、通信用アンテナの通信周波数としては、１３．５６ＭＨｚ帯、９００ＭＨｚ帯、２．４５ＧＨｚ帯、５．８ＧＨｚ帯等のように、小さいアンテナによる通信が可能な周波数帯が使用される。こうした通信アンテナを備える無線ＩＣタグ１０が通信可能な距離は、数ｃｍから１ｍ程度である。そして、ＩＣチップ１３の駆動用のエネルギーは、通信用アンテナに近接するリーダ装置から電磁波として放射されるため、エネルギー源として機能する電池をインレット部Ａは内蔵していない。そのため、インレット部Ａが破壊されない限り、無線ＩＣタグ１０は半永久的に使用される。
【００５０】  ［ＩＣチップ１３］  ＩＣチップ１３が有する非接触通信部用電極端子には、アンテナコイル１２が電気接続される。また、ＩＣチップ１３の容器開封検知部用電極端子には、断線検知配線１６が電気接続される。
【００５１】  ＩＣチップ１３とアンテナコイル１２とは、はんだによって接続されてもよいし、異方性導電ペースト（ＡＣＰ：Ａｎｉｓｏｔｒｏｐｉｃ  Ｃｏｎｄｕｃｔｉｖｅ  Ｐａｓｔｅ）、あるいは、異方性導電フィルム（ＡＣＦ：Ａｎｉｓｏｔｒｏｐｉｃ  Ｃｏｎｄｕｃｔｉｖｅ  Ｆｉｌｍ）等の金属粒子を含有するバインダーによって接続されてもよい。
【００５２】  ＩＣチップ１３の大きさは、例えば平面視で１辺が０．０５ｍｍ〜０．５ｍｍの四角形であればよく、ＩＣチップ１３の厚さは、例えば０．１ｍｍであればよい。ＩＣチップ１３は、ベアチップでも良いし、各種のＩＣパッケージやチップサイズパッケージ（ＣＳＰ）のように封止材で封止されていてもよい。
【００５３】  ＩＣチップ１３が有する非接触通信部は、所定の通信方式を用いて、ＲＦＩＤシステムのリーダ装置と通信し、容器本体３０に充填された内容物の情報、および、容器の開封の有無の情報を上記リーダ装置に送信する。
【００５４】  また、ＩＣチップ１３が有する容器開封検知部用電極端子には、基材１１の裏面の断線検知配線１６が、表裏貫通接続導体１４を介して、電気接続される。そして、ＩＣチップ１３は、上記端子に電気接続した断線検知配線１６の抵抗値を監視する機能を有する。ＩＣチップ１３は、断線検知配線１６の抵抗値が所定の値である第１の値から、第１の値とは異なる第２の値に変わったときに、断線検知配線１６が断線し商品が開封されたと判定する容器開封検知部を有する。そして、容器開封検知部が断線検知配線１６の断線、すなわち、容器の開封の有無を記憶する。
【００５５】  ［断線検知部Ｂ］  図５，図６，図７が示すように、断線検知部Ｂにおける基材１１の裏面には、裏面用導体配線によって断線検知配線１６が形成されている。断線検知部Ｂは、容器本体３０の首部３１に配置される断線検知部Ｂ１と、封止部３２に配置される断線検知部Ｂ２と、容器本体３０に対して断線検知部Ｂ１とは反対側で首部３１に配置される断線検知部Ｂ３とから構成される。
【００５６】  断線検知部Ｂ１および断線検知部Ｂ３においては、基材１１に複数のスリット１１ａが形成されている。各スリット１１ａは、基材１１の縁から内側に向けて延びている。各スリット１１ａは、基材１１に形成された切れ込みであり、基材１１を厚さ方向において貫通してもよいし、貫通していなくてもよい。断線検知部Ｂ１および断線検知部Ｂ３においては、スリット１１ａの端部の先に位置する基材１１の中央部に断線検知配線１６が配置されている。
【００５７】  スリット１１ａは、キャップシール２０が引き裂かれて容器が開封される際に、キャップシール２０と一緒に無線ＩＣタグ１０の断線検知部Ｂが引き裂かれて断線検知配線１６が断線されるように、無線ＩＣタグ１０の破断を誘導する。そのために、断線検知部Ｂ１および断線検知部Ｂ３は、キャップシール２０の、容器本体３０に向けられる面に接着剤で接着される。
【００５８】  ［断線検知配線１６］  断線検知配線１６は、ＩＣチップ１３が有する一対の容器開封検知部用電極端子に、基材１１の表面の配線および表裏貫通接続導体１４を介して接続されている。断線検知配線１６は、一端から他端まで一つながりの１本の配線から構成される。
【００５９】  詳細には、図５が示すように、断線検知配線１６は、断線検知部Ｂ１の第１線状配線１６ａと、断線検知部Ｂ２の密集配線１７と、断線検知部Ｂ３の第２線状配線１６ｂとを含む１本の配線である。
【００６０】  ［断線検知部Ｂ２］  無線ＩＣタグ１０の断線検知部Ｂの断線検知部Ｂ２は、封止部３２を覆う位置に設置される。断線検知部Ｂ２では、断線検知配線１６が密集配線１７を構成する。
【００６１】  断線検知部Ｂ２の密集配線１７は、図５，図６，図７が示すように、封止部３２の上を複数回にわたり横切る折れ線形状や螺旋形状のパターンを構成している。より詳しくは、密集配線１７は、例えば図５または図６が示すように、複数の屈曲部を有したつづら折り状の折れ線形状、言い換えればメアンダ状のパターンを構成している。また、密集配線１７は、例えば図７が示すように、封止部３２の上を複数回にわたり横切る螺旋形状のパターンを構成してもよい。
【００６２】  図８が示すように、断線検知部Ｂ２の密集配線１７は、配線幅Ｗの配線である導体線が、隣り合う導体線との間に配線間距離Ｄ１を隔てて並ぶように構成される。配線間距離Ｄ１と隣り合う２つの導体線の配線幅Ｗの合計であるＤ１＋２×Ｗを、第２距離Ｄ２と定義する。第２距離Ｄ２は、０．２２５ｍｍ以上３ｍｍ以下であることが好ましい。
【００６３】  容器本体３０であるワインボトル等に保存されたワイン等の内容物を偽物にすり替える方法として、以下の方法がある。すなわち、容器本体３０の開口を塞ぐコルク栓などの封止部３２に筒状の針Ｎが刺され、針Ｎを通じて本物の内容物が容器本体３０から取り出され、かつ、偽物の内容物が容器本体３０に注入される。
【００６４】  本実施形態においては、針Ｎが封止部３２に刺さったときに、封止部３２に設置した断線検知部Ｂ２の密集配線１７が断線させられる。その密集配線１７の断線をＩＣチップ１３が検知して記憶する。これにより、容器本体３０の内容物のすり替えをＩＣチップ１３が検出して記憶することができる。
【００６５】  密集配線１７では第２距離Ｄ２が針Ｎの直径Ｄｉａ以下であることが好ましい。第２距離Ｄ２が０．２２５ｍｍ以上３ｍｍ以下であれば、第２距離Ｄ２が針Ｎの直径Ｄｉａ以下になる可能性が高まるため、針Ｎにより密集配線１７が断線されやすくなる。
【００６６】  密集配線１７の配線幅Ｗは、密集配線１７を構成するすべての部分において一定の値でなくてもよく、また、配線間距離Ｄ１は、互いに隣り合う導体線間のすべてにおいて一定の値でなくてもよい。配線幅Ｗや配線間距離Ｄ１が一定でない場合であっても、密集配線１７の各部で第２距離Ｄ２が上述した範囲に含まれていればよい。
【００６７】  上述のように、断線検知部Ｂ２は封止部３２に配置され、断線検知部Ｂ１と断線検知部Ｂ３とは、首部３１の外周面に配置される。すなわち、断線検知部Ｂは、封止部３２を跨いで容器本体３０の首部３１を挟むように配置される。これにより、断線検知部Ｂ１の第１線状配線１６ａと、断線検知部Ｂ３の第２線状配線１６ｂとは、首部３１の外周面に沿って位置する。
【００６８】  したがって、容器を開封すると、第１線状配線１６ａおよび第２線状配線１６ｂの少なくとも一方が断線し、それを無線ＩＣタグ１０のＩＣチップ１３が検出することができる。これにより、容器の開封をＩＣチップ１３が検出して記憶することができる。第１線状配線１６ａと第２線状配線１６ｂとが首部３１を挟んで配置されるため、容器の開封に際しての断線検知配線１６の断線の確実性が高められる。
【００６９】  （キャップシール２０）  先の図１に示したように、キャップシール２０は、封止部３２の上に配置された無線ＩＣタグ１０の断線検知部Ｂ２を覆う頂面部２２と、容器本体３０の首部３１を囲む筒状を有する筒部２１とを備えたカップ状の形状を有する。換言すれば、頂面部２２は、筒部２１が有する２つの筒端の一方に接続されて、当該筒端で筒部２１を塞ぎ、キャップシール２０の頂部を構成する。筒部２１において、頂面部２２が接続される筒端が第１端であり、第１端と反対側の筒端が第２端である。
【００７０】  ［筒部２１］  筒部２１は、容器本体３０を囲む金属部２１ａと、筒部２１の軸方向に沿って延びる帯状の絶縁部２１ｂとを有している。筒部２１の長さは、容器本体３０の首部３１の長さに応じて変わるが、ワインやブランデー用の容器本体３０の場合、５０ｍｍから７０ｍｍ程度になる。
【００７１】  金属部２１ａは、圧延等によって引き延ばされた金属からなるシートから構成されており、容器本体３０における首部３１の側面に沿って配置される。金属部２１ａを構成する金属は特に限定されず、例えば、アルミニウムや錫等が挙げられる。金属部２１ａは、単一のシート状の部材であって、筒部２１の周方向に容器本体３０の外周を一巻きして絶縁部２１ｂの位置で途切れている。
【００７２】  絶縁部２１ｂは、絶縁性接着剤である樹脂から構成されている。こうした樹脂としては、例えば、エポキシ樹脂やシリコーン樹脂が挙げられる。特に、エポキシ樹脂は、絶縁性が高いため、絶縁部２１ｂの材料として好適に用いられる。絶縁部２１ｂの抵抗率は、１０６Ωｍ以上であることが好ましい。
【００７３】  絶縁部２１ｂは、筒部２１の軸方向における一方の端部から他方の端部まで、直線状に延びている。すなわち、絶縁部２１ｂは、筒部２１の有する２つの筒端を結んでいる。  図９は、絶縁部２１ｂの付近における筒部２１の径方向に沿った断面構造を示す。図９が示すように、筒部２１の周方向における金属部２１ａの両端部の各々は絶縁部２１ｂに接着されている。金属部２１ａの上記両端部である２つの端部は、その間に絶縁部２１ｂを挟んで重なる部分を有する。上記２つの端部は絶縁部２１ｂによって絶縁される。このように、金属部２１ａと絶縁部２１ｂとによって筒部２１の周方向に沿った閉環が構成されている。
【００７４】  筒部２１の外側から見て、絶縁部２１ｂは、筒部２１の周方向における金属部２１ａの端部からはみ出していることが好ましく、また、筒部２１の内側から見ても、絶縁部２１ｂは、筒部２１の周方向における金属部２１ａの端部からはみ出していることが好ましい。こうした構成によれば、容器へのキャップシール２０の取り付けに際して、筒部２１に変形が生じた場合であっても、金属部２１ａの両端部が互いに接触することが的確に抑えられる。
【００７５】  上記構成によれば、金属部２１ａにおける筒部２１の周方向に延びる導電路が絶縁部２１ｂによって遮られる。すなわち、筒部２１の周方向に沿った伝導が絶縁部２１ｂによって遮られる。そのため、筒部２１に閉環状の導電路が形成されている構成と比較して、筒部２１のインダクタンスを減少させることができる。したがって、無線ＩＣタグ１０とリーダ装置等の外部機器との非接触通信に際して、筒部２１に起因した電磁界への影響を無線ＩＣタグ１０に対して低減できる。その結果、無線ＩＣタグ１０の通信距離等の通信特性の低下を抑えることができる。
【００７６】  ここで、絶縁部２１ｂは、筒部２１の２つの筒端間に延びていればよく、絶縁部２１ｂは、筒部２１の延びる方向、すなわち、筒部２１の軸方向に沿って直線状に延びてもよいし、その他の構成を有していてもよい。例えば、筒部２１の外側から見て、絶縁部２１ｂは、筒部２１の延びる方向に対して傾斜した方向に延びてもよいし、曲線状に延びてもよいし、図柄を構成するように延びていてもよい。
【００７７】  なお、筒部２１と頂面部２２との接続部分の構成は特に限定されない。例えば、筒部２１の端部が径方向の内側に張り出すように折り曲げられ、この折り曲げられた部分に筒部２１の外側もしくは内側から頂面部２２が貼り付けられていてもよい。あるいは、頂面部２２の端部が筒部２１の軸方向に延設され、この延設された部分に、筒部２１の内側面もしくは外側面が貼り付けられていてもよい。
【００７８】  ［変形例］  金属部２１ａと絶縁部２１ｂとの位置関係は、上記構成に限らず、図１０に示す構成であってもよい。すなわち、金属部２１ａの両端部は、絶縁部２１ｂの表面において筒部２１の周方向に沿って並んでいる。２つの端部が離れていれば、これらの端部の間は絶縁部２１ｂで埋められていてもよいし、隙間が空いていてもよい。
【００７９】  こうした構成においては、筒部２１の外側から見て、筒部２１の周方向における金属部２１ａの両端部の間に絶縁部２１ｂが挟まれている。要は、筒部２１の周方向に沿った伝導が絶縁部２１ｂによって遮られるように、金属部２１ａと絶縁部２１ｂとが接続されていればよい。
【００８０】  また、筒部２１の周方向に並ぶ複数の絶縁部２１ｂが設けられていてもよい。すなわち、金属部２１ａが、筒部２１の周方向に複数の部分に分割されており、金属部２１ａの隣り合う２つの部分の端部が絶縁部２１ｂに接着されることにより閉環が形成される。換言すれば、複数の絶縁部２１ｂが設けられ、筒部２１の周方向に隣り合う金属部２１ａの２つの部分が絶縁部２１ｂで繋がれるように、金属部２１ａの各部分と絶縁部２１ｂとが配置される。
【００８１】  このように、金属部２１ａを複数の部分に分割して絶縁する構成であれば、筒部２１の周方向に延びる導電路がより細かく分断されるため、無線ＩＣタグ１０の通信特性が金属部２１ａに影響されて低下することをさらに抑制することができる。
【００８２】  （キャップシール２０の容器への取り付け）  キャップシール２０の容器への取り付けは、例えば、以下の手順で行われる。すなわち、まず、先の図２に示したように、容器本体３０および封止部３２に対し、断線検知部Ｂ２を封止部３２に貼り付けて無線ＩＣタグ１０を配置する。
【００８３】  一方で、筒部２１と頂面部２２とを接合してキャップシール２０を組み立てる。そのキャップシール２０の筒部２１を、封止部３２および首部３１と、これらの上に配置した無線ＩＣタグ１０とに被せる。次に、カシメ加工等による圧延加圧によってキャップシール２０の筒部２１を容器本体３０に密着させる。
【００８４】  図１は、キャップシール２０が圧延されて容器本体３０に密着している例を示す。無線ＩＣタグ１０の断線検知部Ｂは、キャップシール２０の内側面と容器本体３０の外周面との間に挟まれてキャップシール２０によって覆われる。無線ＩＣタグ１０のインレット部Ａの少なくとも一部は、キャップシール２０から露出している。特に、インレット部Ａのジャンパー線１５とＩＣチップ１３とは、キャップシール２０から露出される。
【００８５】  キャップシール２０が、無線ＩＣタグ１０の断線検知部Ｂを覆っているため、容器本体３０の開封の際にキャップシール２０と一緒に断線検知部Ｂが引き裂かれる。また、無線ＩＣタグ１０のインレット部Ａ、特に、ジャンパー線１５およびＩＣチップ１３が、キャップシール２０から露出しているため、金属製のキャップシール２０を圧延して容器に取り付ける際に、圧延のストレスによってジャンパー線１５およびＩＣチップ１３が破壊されることが抑えられる。
【００８６】  なお、キャップシール２０の組み立てと容器への取り付けとを並行して行ってもよい。例えば、筒部２１に容器本体３０の首部３１を通した後に、筒部２１に頂面部２２を接合してキャップシール２０を完成させてもよい。
【００８７】  あるいは、金属部２１ａを容器本体３０の首部３１に巻き付けた後に、絶縁部２１ｂによって金属部２１ａの端部の接着を行うことにより、筒部２１を形成し、その筒部２１に頂面部２２を接合してキャップシール２０を完成させてもよい。
【００８８】  あるいは、予め無線ＩＣタグ１０を内側面に接着させたキャップシール２０を容器に取り付けてもよい。  なお、無線ＩＣタグ１０のなかでキャップシール２０から露出しているインレット部Ａには、無線ＩＣタグ１０を外部から保護するための保護層等の層が積層されていてもよい。
【００８９】  以上説明したように、第１の実施形態によれば、以下の効果を得ることができる。  （１）無線ＩＣタグ付き容器は、キャップシール２０が引き裂かれて容器から取り外される際に、キャップシール２０と共に無線ＩＣタグ１０の断線検知部Ｂも引き裂かれ、断線検知配線１６が断線するように構成されている。そして、無線ＩＣタグ１０のＩＣチップ１３が、断線検知部Ｂの断線を検知して容器の開封を記憶する。これにより、容器の開封の前後において、無線ＩＣタグ１０との通信により容器の開封状態を管理することができる。また、無線ＩＣタグ１０の断線検知部Ｂがキャップシール２０で覆われていてキャップシール２０と一緒に引き裂かれるため、無線ＩＣタグ１０のみを容器から取り外して偽の商品の容器に取り付ける偽造が困難である。
【００９０】  （２）針Ｎが封止部３２に刺されて内容物が差し替えられる場合にも、封止部３２とキャップシール２０の頂面部２２とに挟まれた断線検知部Ｂ２の密集配線１７が断線させられる。無線ＩＣタグ１０は、その断線検知部Ｂ２の断線を検知して容器の開封を記憶することで、内容物のすり替えを検出して記憶することができる。
【００９１】  （３）ＩＣチップ１３が、キャップシール２０の筒部２１の下端から露出し、容器本体３０の外周面に沿って配置される。そのため、従来のように、頂面部２２と無線ＩＣタグとが重なり、筒部２１が構成するコイルの中心軸上に無線ＩＣタグが位置する形態と比較して、キャップシール２０に起因した電磁界への影響を無線ＩＣタグ１０に対して低減できる。その結果、無線ＩＣタグ１０の通信特性の低下を抑えることができる。
【００９２】  （４）ＩＣチップ１３がキャップシール２０から露出しているため、容器に対するキャップシール２０の取り付けの際の圧力がＩＣチップ１３にかかることが抑えられる。それゆえ、ＩＣチップ１３の機能の低下が抑えられる。また、ジャンパー線１５がキャップシール２０から露出しているため、容器に対するキャップシール２０の取り付けの際の加圧によってジャンパー線１５に変形が生じることが抑えられる。それゆえ、通信用アンテナの導通が阻害されることが抑えられる。
【００９３】  （５）筒部２１の金属部２１ａの周方向に沿った伝導が絶縁部２１ｂによって遮られるため、筒部２１に閉環状の導電路が形成されている形態と比較して、筒部２１のインダクタンスを減少させることができる。そのため、インレット部Ａの通信用アンテナを介した無線ＩＣタグ１０と外部機器との非接触通信に際して、無線ＩＣタグ１０の通信特性の低下を抑えることができる。
【００９４】  （６）図９に示す構成、すなわち、絶縁部２１ｂが、筒部２１の径方向に沿って金属部２１ａの端部間に挟まれている構成、あるいは、図１０に示す構成、すなわち、絶縁部２１ｂが、筒部２１の外側から見て筒部２１の周方向に沿って金属部２１ａの端部間に挟まれている構成によれば、上記伝導の絶縁部２１ｂによる遮断が好適に実現できる。
【００９５】  特に、図９の構成、すなわち、絶縁部２１ｂが、金属部２１ａの２つの端部同士が重なる位置でこれら２つの端部の間に挟まれている構成では、金属部２１ａの端部同士が重なることによって筒部２１の強度を高めることが可能である。そして、絶縁部２１ｂが絶縁性接着剤から形成される構成であれば、筒部２１の製造が容易である。
【００９６】  また、図１０の構成、すなわち、単一の金属部２１ａを巻いて筒形状を形成し、筒部２１の周方向における金属部２１ａの両端を絶縁性接着剤からなる絶縁部２１ｂで接着した構成であれば、以下の効果が得られる。すなわち、筒部２１を形成する金属部２１ａの両端を絶縁性接着剤からなる絶縁部２１ｂが接続することで、金属部２１ａの両端を重ねずに筒形状を形成することができるので、簡易な構成によって絶縁部２１ｂを有する筒部２１が実現できる。したがって、筒部２１の生産効率も高められる。
【００９７】  （７）キャップシール２０の容器への取り付けに際して加熱を行わなくてもよいため、容器の内容物の熱による変質が抑えられる。特に、内容物がワインのように酒類である場合に有用性が高い。
【００９８】  ＜第２の実施形態＞  図１１および図１２を参照して、無線ＩＣタグ付き容器、および、無線ＩＣタグの第２の実施形態について説明する。以下では、第１の実施形態との相違点を中心に説明し、第１の実施形態と同様の構成については同じ符号を付してその説明を省略する。
【００９９】  図１１および図１２が示すように、第２の実施形態は、キャップシール２０の構成が第１の実施形態と相違する。  第２の実施形態のキャップシール２０は、筒部２１と頂面部２２とを備え、頂面部２２の構成は、第１の実施形態と同様である。第２の実施形態のキャップシール２０の筒部２１は、絶縁層と金属層からなる多層構造を有した複合シートの金属層を分割して複数の金属部２１ａを形成したシートから構成される。
【０１００】  互いに隣り合う金属部２１ａは、筒部２１が有する２つの筒端を結ぶ隙間Ｓによって、筒部２１の周方向に分離されている。隙間Ｓは、筒部２１の軸方向における一方の端部から他方の端部まで延びている。絶縁層２１ｃは隙間Ｓによって分断されておらず、１つの連続した層である。隙間Ｓは、絶縁層２１ｃ上において金属部２１ａを分断している。隙間Ｓの数が２以上である場合、２つの隙間Ｓで挟まれることによって区画された金属部２１ａが存在する。
【０１０１】  隙間Ｓは、筒部２１の２つの筒端を結んでいればよく、筒部２１の軸方向に平行に延びる直線状であってもよく、また、軸方向から傾斜した方向に延びてもよい。例えば、筒部２１の外側から見て、隙間Ｓは、筒部２１の軸方向に対して一定の角度で傾斜した方向に延びてもよいし、傾斜角度が場所によって異なる曲線状に延びてもよいし、隙間Ｓが図柄を構成してもよい。
【０１０２】  絶縁層２１ｃ上で金属部２１ａを分断する隙間Ｓは、例えば、絶縁層に金属層が積層された複合シートの金属層をエッチングすることで、金属層を複数の金属部２１ａに分割することによって形成することができる。
【０１０３】  図１２が示すように、金属部２１ａは、絶縁層２１ｃに対して筒部２１の径方向の外側に位置する。すなわち、筒部２１の外側から見た場合、金属部２１ａが視認される。そして、金属部２１ａの内側で、絶縁層２１ｃが容器本体３０および無線ＩＣタグ１０に接触する。
【０１０４】  絶縁層２１ｃは、絶縁性の樹脂から構成される。絶縁性の樹脂としては、例えば、エポキシ樹脂、シリコーン樹脂、塩化ビニル樹脂、ポリエチレン等が挙げられる。絶縁層２１ｃの抵抗率は、１０６Ωｍ以上であることが好ましい。金属部２１ａを構成する金属としては、例えば、アルミニウム、錫、銅等が挙げられる。
【０１０５】  筒部２１の周方向における両端部、すなわち、複合シートの両端部は、第１の実施形態と同様に絶縁性接着剤からなる絶縁部２１ｂで接着されていてもよいし、絶縁性接着剤からなる絶縁部２１ｂによる接着とは異なる方法によって接合されていてもよい。
【０１０６】  第２の実施形態のキャップシール２０においては、絶縁層２１ｃのなかで、隙間Ｓと対向する位置で、隙間Ｓによって分離された金属部２１ａの端部を繋いでいる部分が、絶縁部の一例である間隙絶縁部を構成する。そして、金属部２１ａと間隙絶縁部との接続によって、筒部２１の周方向に沿った閉環が構成されている。筒部２１の外側から見て、間隙絶縁部は、筒部２１の周方向に沿って並ぶ金属部２１ａの端部間に挟まれている。
【０１０７】  上記構成においては、筒部２１の周方向に沿った伝導が間隙絶縁部によって遮られる。そのため、筒部２１に閉環状の導電路が形成されている形態と比較して、無線ＩＣタグ１０の通信特性の低下を抑えることができる。
【０１０８】  また、図１１および図１２が示すように複数の隙間Ｓが設けられている形態では、隙間Ｓが１つである形態と比較して、筒部２１の周方向に延びる導電路が、より細かく分断される。その結果、筒部２１のインダクタンスをより減少させることができるため、無線ＩＣタグ１０の通信特性の低下をさらに抑えることができる。そして、複合シートにおける金属部２１ａのパターニングによって隙間Ｓを形成すれば、容易に複数の隙間Ｓを形成することができる。
【０１０９】  また、キャップシール２０が隙間Ｓで引き裂かれる際に無線ＩＣタグ１０の断線検知部Ｂ１または断線検知部Ｂ３が引き裂かれやすいように、断線検知部Ｂ１または断線検知部Ｂ３を、筒部２１の外側から見て隙間Ｓに交差する部分を有するように構成し、当該部分をキャップシール２０における隙間Ｓが位置する部分の内側面に接着してもよい。
【０１１０】  以上説明したように、第２の実施形態によれば、第１の実施形態の（１）〜（５），（７）の効果に加えて、以下の効果を得ることができる。  （８）絶縁層２１ｃ上の隙間Ｓによって金属部２１ａが分離されていることにより、筒部２１の周方向に沿った伝導が絶縁部によって遮られた構成が実現される。これによれば、隙間Ｓの位置や大きさや形状等の設定によって、絶縁部の位置や大きさや形状の調整が可能である。したがって、絶縁部の位置や大きさや形状についての調整が容易であり、その自由度も高められる。
【０１１１】  （９）複数の隙間Ｓが設けられていることにより、複数の絶縁部が設けられている形態であれば、筒部２１の周方向に延びる導電路がより細かく分断されるため、無線ＩＣタグ１０の通信特性の低下をさらに抑えることができる。
【０１１２】  ＜第３の実施形態＞  図１３を参照して、無線ＩＣタグ付き容器、および、無線ＩＣタグの第３の実施形態について説明する。以下では、第１の実施形態との相違点を中心に説明し、第１の実施形態と同様の構成については同じ符号を付してその説明を省略する。
【０１１３】  図１３は、第３の実施形態の無線ＩＣタグ１０の裏面の配線パターンを示す。第３の実施形態の無線ＩＣタグ１０においては、図１３が示すように、断線検知部Ｂ４、インレット部Ａ、断線検知部Ｂ１、封止部３２に設置する断線検知部Ｂ２、断線検知部Ｂ３が、この順に繋がっている。
【０１１４】  すなわち、第３の実施形態は、インレット部Ａが、無線ＩＣタグ１０の延びる方向において断線検知部Ｂ４と断線検知部Ｂ１との間に挟まれている点が第１の実施形態と相違する。また、第３の実施形態においては、キャップシール２０の筒部２１が開口部を有する。そして、キャップシール２０が容器に取り付けられたとき、上記開口部からインレット部Ａが露出される。
【０１１５】  断線検知部Ｂ４は、キャップシール２０の内側面に接着している。キャップシール２０が引き裂かれて容器から取り外される際に、キャップシール２０と一緒に断線検知部Ｂ４も引き裂かれ、断線検知配線１６が断線するように構成されている。断線検知部Ｂ４は、断線検知配線１６を構成する第３線状配線１６ｃを有する。
【０１１６】  第３の実施形態によれば、キャップシール２０が引き裂かれて容器から取り外される際に、断線検知部Ｂ１，Ｂ３と共に断線検知部Ｂ４も引き裂かれるので、容器の開封の検出の確実性が高められる。
【０１１７】  なお、キャップシール２０としては、第１の実施形態のキャップシール２０が適用されてもよいし、第２の実施形態のキャップシール２０が適用されてもよい。  ＜第４の実施形態＞  図１４〜図１７を参照して、無線ＩＣタグ付き容器、および、無線ＩＣタグの第４の実施形態について説明する。以下では、第１の実施形態との相違点を中心に説明し、第１の実施形態と同様の構成については同じ符号を付してその説明を省略する。
【０１１８】  第４の実施形態は、密集配線１７を有する断線検知部Ｂ２がインレット部Ａと一体にされた構造を有する点が第１の実施形態と相違する。  図１４は、第４の実施形態の無線ＩＣタグ１０の表面の配線パターンを示すとともに、裏面の配線パターンを透視図で示す。図１５は、第４の実施形態の無線ＩＣタグ１０の裏面の配線パターンを示す。図１４が示すように、基材１１の表面にインレット部Ａを構成するコイル部としてのアンテナコイル１２が配置され、図１５が示すように、基材１１の裏面に密集配線１７が配置される。
【０１１９】  そして、図１６が示すように、無線ＩＣタグ１０が、容器に取り付けられる。図１６が示すように、無線ＩＣタグ１０は、首部３１の一方側から、封止部３２を跨いで、首部３１の他方側まで配置される。無線ＩＣタグ１０のアンテナコイル１２と密集配線１７とを有する部分は封止部３２に貼り付けられる。
【０１２０】  図１７が示すように、キャップシール２０は、容器本体３０の首部３１と、首部３１上に配置された無線ＩＣタグ１０とに被せられる。すなわち、キャップシール２０と容器本体３０との間に無線ＩＣタグ１０が挟み込まれる。キャップシール２０は、頂部に頂面開口部２３を有している。筒部２１の構成は第１の実施形態と同様である。キャップシール２０の頂面開口部２３からは、無線ＩＣタグ１０のインレット部Ａが露出される。
【０１２１】  ここで、頂面開口部２３からは、無線ＩＣタグ１０のインレット部Ａのアンテナコイル１２の内径で囲まれる領域、言い換えれば、アンテナコイル１２が構成するループの内側の領域が露出される。このように、アンテナコイル１２の内径で囲まれる領域を露出させると、アンテナコイル１２による非接触通信用の磁界にキャップシール２０が与える影響が低減され、無線ＩＣタグ１０の通信特性への影響が少ない効果がある知見が得られた。このとき、無線ＩＣタグ１０のなかで頂面開口部２３内に位置する部分には、ＩＣチップ１３が含まれる。すなわち、第４の実施形態においても、ＩＣチップ１３がキャップシール２０から露出される。さらに、ジャンパー線１５もキャップシール２０から露出されてもよい。インレット部Ａが金属製の頂面部と重ならないことにより、無線ＩＣタグ１０の通信特性の低下が抑えられる。
【０１２２】  第４の実施形態においても、キャップシール２０では、第１の実施形態と同様に、筒部２１の周方向に延びる導電路が、絶縁部２１ｂによって遮られる。そのため、インレット部Ａのアンテナコイル１２に平行する誘導電流がキャップシール２０に流れることが抑えられるため、無線ＩＣタグ１０の通信特性の低下が抑えられる。なお、第４の実施形態のキャップシール２０に、第２の実施形態のキャップシール２０の構成が適用されてもよい。
【０１２３】  第４の実施形態では、インレット部Ａの裏側に密集配線１７が配置されているので、第１の実施形態の図８と同様に、封止部３２に筒状の針Ｎが刺され、針Ｎを介して内容物が偽物にすり替えられる際には、密集配線１７またはアンテナコイル１２が断線させられる。これにより、容器本体３０の内容物のすり替えをＩＣチップ１３が検出して記憶することができる。
【０１２４】  ＜他の形態＞  上記各実施形態は、以下のように変更して実施することが可能である。  ・無線ＩＣタグ１０の基材１１において、ＩＣチップ１３が配置される面は、容器本体３０と反対側に向けられる面に限らず、容器本体３０に向けられる面であってもよい。また、アンテナコイル１２は、基材１１における容器本体３０に向けられる面と、容器本体３０とは反対側に向けられる面とのいずれの面に配置されてもよい。すなわち、アンテナコイル１２が配置される第１面と、ジャンパー線１５が配置される第２面とのいずれが、容器本体３０に向けられる面であってもよい。また、断線検知配線１６も、基材１１のいずれの面に配置されてもよい。
【０１２５】  ・無線ＩＣタグ１０や容器の用途に応じて、無線ＩＣタグ１０のインレット部Ａの表面に、あるいは、無線ＩＣタグ１０と容器本体３０との間に、無線ＩＣタグ１０に耐久性を付与する層や、安定性を付与する層や、脆性を付与する層や、保護層等の層が設けられてもよい。
【０１２６】  ・キャップシール２０の絶縁部が筒部２１の２つの筒端を結び、金属部と絶縁部との接続によって筒部２１の周方向に沿った閉環が構成されることにより筒部２１の周方向に沿った伝導が遮られていれば、絶縁部の材料や形状は、上記実施形態にて例示した材料や形状と異なっていてもよい。
【０１２７】  ・キャップシール２０は、絶縁部を有していなくてもよい。すなわち、筒部２１の全体が金属から構成されていてもよい。こうした構成であっても、インレット部ＡのＩＣチップ１３がキャップシール２０から露出していれば、従来のように金属製の頂面部とインレット部Ａとが重なり、金属製の筒部が構成するコイルの中心軸上にインレット部Ａが位置する形態と比較して、無線ＩＣタグ１０の通信特性の低下を抑えることはできる。
【０１２８】  ・容器本体３０は、開口部を有していればよく、容器本体３０の形状や材質は特に限定されない。容器本体３０がガラスのような脆性材料から構成される場合、容器本体３０のなかで開口部付近の強度は低くなりやすいが、上記各実施形態のキャップシール２０を取り付けることにより、金属部によって開口部付近が保護される。すなわち、キャップシール２０によって開封部の付近を保護する効果も得られる。
【０１２９】  ・上記各実施形態の無線ＩＣタグ１０の構成を、金属以外の材料を用いたキャップシール２０を備える無線ＩＣタグ付き容器に適用してもよい。また、断線検知部を有さない無線ＩＣタグを、第４の実施形態の無線ＩＣタグ付き容器、すなわち、キャップシール２０の頂面開口部２３から、少なくともインレット部Ａにおけるアンテナコイル１２の内側の領域を露出させた無線ＩＣタグ付き容器に適用してもよい。
【０１３０】  ＜実施例＞  図１８〜図２０を参照して、第１の実施形態の具体的な実施例を説明する。  図１８が示すように、無線ＩＣタグ１０は、インレット部Ａと断線検知部Ｂとを備えている。断線検知部Ｂは、断線検知部Ｂ１、断線検知部Ｂ２、および、断線検知部Ｂ３から構成される。断線検知部Ｂ２は、無線ＩＣタグ１０の延びる方向に沿って、断線検知部Ｂ１と断線検知部Ｂ３とに挟まれている。基材１１は、断線検知部Ｂ２の部分で円形状を有し、断線検知部Ｂ１および断線検知部Ｂ３の各々の部分で無線ＩＣタグ１０の延びる方向に沿って延びる帯状を有する。無線ＩＣタグ１０の延びる方向において、断線検知部Ｂ１は、断線検知部Ｂ３よりも長い。断線検知部Ｂ１および断線検知部Ｂ３においては、基材１１に、基材１１の縁から内側に向けて延びる複数のスリット１１ａが設けられている。
【０１３１】  図１８においては、基材１１の表面に位置する配線を太線で示し、基材１１の裏面に位置する配線を細線で示している。断線検知部Ｂが有する断線検知配線１６は、基材１１の裏面、すなわち、容器本体３０に向けられる面に配置されている。断線検知配線１６は一つながりの配線であり、断線検知部Ｂ１を構成する第１線状配線１６ａと、断線検知部Ｂ２を構成する密集配線１７と、断線検知部Ｂ３を構成する第２線状配線１６ｂとを含む。第１線状配線１６ａと第２線状配線１６ｂとの各々は、無線ＩＣタグ１０の延びる方向に沿って基材１１上を往復し、密集配線１７は、例えばメアンダ状に屈曲している。断線検知配線１６の２つの端部の各々は、第１線状配線１６ａから、基材１１のなかでインレット部Ａを構成する部分の裏面まで延びて、表裏貫通接続導体１４に接続されている。
【０１３２】  断線検知部Ｂ１に対して断線検知部Ｂ２とは反対側に、インレット部Ａが位置する。インレット部Ａの部分で、基材１１は円形状を有する。言い換えれば、断線検知部Ｂ１に対して、インレット部Ａでは基材１１の幅が拡大されている。インレット部Ａは、通信用アンテナと、ＩＣチップ１３とを備えている。通信用アンテナは、アンテナコイル１２とジャンパー線１５とが表裏貫通接続導体１４によって接続された構造を有する。ＩＣチップ１３とアンテナコイル１２とは、基材１１の表面、すなわち、容器本体３０とは反対側に向けられる面に配置されている。ジャンパー線１５は、基材１１の裏面に配置されている。表裏貫通接続導体１４は、基材１１を貫通して基材１１の表面の配線と裏面の配線とを電気的に接続する。
【０１３３】  上記構成において、断線検知部Ｂ１とインレット部Ａとが、断線検知部Ｂ２から延びる第１延出部を構成し、断線検知部Ｂ３が、断線検知部Ｂ２から第１延出部とは反対方向に延びる第２延出部を構成する。第１延出部の長さは、キャップシール２０の筒部２１の軸方向の長さよりも大きい。ＩＣチップ１３とジャンパー線１５とは、第１延出部の先端領域に配置されている。
【０１３４】  図１９を参照して、インレット部Ａにおける配線の構成について詳述する。図１９では、基材１１の表面に位置する配線を、ドットを付して示し、基材１１の表面に位置する配線を、外形線が一点鎖線の中空線で示す。また、ＩＣチップ１３の配置される領域を、破線で囲まれた領域Ｒとして示す。
【０１３５】  図１９において、円形の配線領域は、表裏貫通接続導体１４が構成する部分である。４つの表裏貫通接続導体１４には、断線検知配線１６の一方の端部と接続される接続導体１４ａ、および、断線検知配線１６の他方の端部と接続される接続導体１４ｂが含まれる。接続導体１４ａと接続導体１４ｂとは、基材１１の表面にて接続導体１４ａと接続導体１４ｂとの各々から延びる補助配線４０を経由して、ＩＣチップ１３の容器開封検知部用電極端子に電気的に接続されている。
【０１３６】  上記４つの表裏貫通接続導体１４には、さらに、アンテナコイル１２とジャンパー線１５とを接続する接続導体１４ｃおよび接続導体１４ｄが含まれる。  アンテナコイル１２は、ＩＣチップ１３の非接触通信部用電極端子に接続される２つの端部である端子用端部４１ａと端子用端部４１ｂとを結ぶループ形状を有し、かつ、基材１１の表面において、上記ループ形状に引き回された配線が接続導体１４ｃと接続導体１４ｄとの間で途切れた構造を有する。端子用端部４１ａ，４１ｂと、接続導体１４ｃとは、アンテナコイル１２が構成する上記ループの最内周に位置し、アンテナコイル１２の内側の領域に面する。接続導体１４ｄは、アンテナコイル１２が構成する上記ループの最外周に位置し、アンテナコイル１２の外側の領域に面する。また、接続導体１４ａおよび接続導体１４ｂと、ＩＣチップ１３とは、アンテナコイル１２の内側の領域に位置する。
【０１３７】  ジャンパー線１５は、基材１１を介して、アンテナコイル１２と重なっている。詳細には、ジャンパー線１５は、基材１１を介して、アンテナコイル１２の途切れている部分を繋ぐ位置に、すなわち、接続導体１４ｃと接続導体１４ｄとを結ぶ位置に配置されている。接続導体１４ｃは、アンテナコイル１２の途切れている部分の一方とジャンパー線１５の一方の端部とに接続され、接続導体１４ｄは、アンテナコイル１２の途切れている部分の他方とジャンパー線１５の他方の端部とに接続される。これにより、端子用端部４１ａと端子用端部４１ｂとの間が導通する。
【０１３８】  ここで、ジャンパー線１５は、アンテナコイル１２の下端、すなわち、アンテナコイル１２に対して断線検知部Ｂとは反対側に位置する端部から、アンテナコイル１２の内側の領域に向けて延びている。そして、アンテナコイル１２の下端から上端までをアンテナコイル１２の全長Ｌとするとき、無線ＩＣタグ１０の延びる方向において、アンテナコイル１２の下端との距離が全長Ｌの３分の２以下である範囲に、ＩＣチップ１３とジャンパー線１５とが位置している。図１９に示す基準線Ａ１は、無線ＩＣタグ１０の延びる方向におけるアンテナコイル１２の下端との距離が全長Ｌの３分の２となる位置にて、無線ＩＣタグ１０の延びる方向と直交する方向に延びる直線である。基準線Ａ１よりもアンテナコイル１２の下端に近い領域に、ＩＣチップ１３とジャンパー線１５とが位置している。ＩＣチップ１３とジャンパー線１５とが、このように配置されていることによって、無線ＩＣタグ１０を容器に取り付けたときに、ＩＣチップ１３とジャンパー線１５とをキャップシール２０から露出させやすい。
【０１３９】  図２０が示すように、無線ＩＣタグ１０は、封止部３２上を跨いで容器本体３０の首部３１を挟むように配置される。そして、キャップシール２０が、容器本体３０および封止部３２と無線ＩＣタグ１０とに被せられている。すなわち、無線ＩＣタグ１０の一部は、容器とキャップシール２０との間に挟まれる。キャップシール２０の筒部２１は絶縁部を有さず、筒部２１の全体が金属製、すなわち、筒部２１の全体が金属部である。無線ＩＣタグ１０の裏面は容器に接着され、無線ＩＣタグ１０の表面のうち、キャップシール２０に覆われている部分は、キャップシール２０の内側面に接着されている。
【０１４０】  インレット部Ａのうち、ＩＣチップ１３およびジャンパー線１５は、キャップシール２０から露出されている。詳細には、キャップシール２０の筒部２１は、アンテナコイル１２の上端付近でアンテナコイル１２の一部を覆い、ＩＣチップ１３およびジャンパー線１５と共に、アンテナコイル１２の内側の領域の全体が筒部２１の下端から露出している。筒部２１の下端は、すなわち、筒部２１が有する２つの筒端のうちの、頂面部２２が接続されている第１端とは反対側の第２端である。
【０１４１】  上記構成においては、基材１１のなかで、インレット部Ａを構成する円形状の部分の一部は筒部２１に覆われている。言い換えれば、基材１１のなかで、断線検知部Ｂ１を構成する帯状の部分と上記円形状の部分との境界部は、筒部２１に覆われている。上記境界部においては、基材１１の幅が急激に変わるため、基材１１が破断しやすくなる傾向があるが、上記境界部が筒部２１に覆われていることで、基材１１が破断してインレット部Ａが千切れることが抑えられる。
【０１４２】  また、インレット部Ａは、その全体が容器本体３０の首部３１の外周面に位置し、容器本体３０のなかで首部３１から拡径していく部分である肩部３３までは延びていない。容器本体３０の内容物が飲料等の液体である場合、内容物の液面は、肩部３３の付近に位置する場合が多い。すなわち、インレット部Ａが肩部３３の外周面に位置すると、インレット部Ａが首部３１の外周面に位置する場合よりも、インレット部Ａの背後に内容物が位置する可能性が高くなる。インレット部Ａの背後に液体があると、無線ＩＣタグ１０の通信距離が短くなる。本実施例では、インレット部Ａの一部を筒部２１と重ならせてインレット部Ａが肩部３３まで延びないように配置することで、無線ＩＣタグ１０の通信距離の低下を抑えている。
【０１４３】  また、容器の保管時や販売時に、複数の容器が並べられた場合、互いに隣接する容器の肩部３３が接する場合がある。本実施例では、インレット部Ａの全体が首部３１の外周面に位置するため、互いに隣接する容器の肩部３３が接した場合でも、無線ＩＣタグ１０が他の容器に接することが抑えられる。したがって、接触の衝撃に起因して無線ＩＣタグ１０の機能が低下することが抑えられる。
【０１４４】  なお、上記構成に限らず、インレット部Ａは肩部３３まで延びていてもよい。肩部３３は首部３１よりも外側に張り出しているため、インレット部Ａが肩部３３の外周面に位置する構成であれば、リーダ装置を容器に近づけてリーダ装置と無線ＩＣタグ１０とを通信させる際に、リーダ装置を無線ＩＣタグ１０に近づけやすい。
【符号の説明】
【０１４５】  １０…無線ＩＣタグ、１１…基材、１１ａ…スリット、１２…アンテナコイル、１３…ＩＣチップ、１４，１４ａ，１４ｂ，１４ｃ，１４ｄ…表裏貫通接続導体、１５…ジャンパー線、１６…断線検知配線、１６ａ…第１線状配線、１６ｂ…第２線状配線、１６ｃ…第３線状配線、１７…密集配線、２０…キャップシール、２１…筒部、２１ａ…金属部、２１ｂ…絶縁部、２１ｃ…絶縁層、２２…頂面部、２３…頂面開口部、３０…容器本体、３１…首部、３２…封止部、３３…肩部、Ａ…インレット部、Ｂ，Ｂ１，Ｂ２，Ｂ３，Ｂ４…断線検知部、Ｄｉａ…針の直径、Ｄ１…配線間距離、Ｄ２…第２距離、Ｎ…針、Ｓ…隙間、Ｗ…配線幅。
【図１】
2019088076.tif 000003
【図２】
2019088076.tif 000004
【図３】
2019088076.tif 000005
【図４】
2019088076.tif 000006
【図５】
2019088076.tif 000007
【図６】
2019088076.tif 000008
【図７】
2019088076.tif 000009
【図８】
2019088076.tif 000010
【図９】
2019088076.tif 000011
【図１０】
2019088076.tif 000012
【図１１】
2019088076.tif 000013
【図１２】
2019088076.tif 000014
【図１３】
2019088076.tif 000015
【図１４】
2019088076.tif 000016
【図１５】
2019088076.tif 000017
【図１６】
2019088076.tif 000018
【図１７】
2019088076.tif 000019
【図１８】
2019088076.tif 000020
【図１９】
2019088076.tif 000021
【図２０】
2019088076.tif 000022
【国際調査報告】
2019088076.tif 000023
2019088076.tif 000024
2019088076.tif 000025